(57)【要約】本発明は、マルチメディアを介してインタラクティブ情報を実現する方法及びシステムを提供して、従来技術ではマルチメディア広告を介してサーバにアクセスできない不具合を解決する。本発明の方法は、Ａ．ユーザ端末は、通信標識を伝達するインタラクティブ情報を有するマルチメディアファイルを解析、再生する（S101）。Ｂ．ユーザ端末は、ユーザによるインタラクティブ情報中に伝達された通信標識のトリガに基づいて、サーバにアクセスする（S102）。また、本発明は、マルチメディアを介してインタラクティブ情報を実現するシステムを提供する。本発明は、マルチメディアにおけるインタラクティブ情報を介するサーバアクセスに適用し、ユーザの取引操作をより便利、迅速にする。【選択図】図１
2010515309.tif 000002
【特許請求の範囲】
【請求項１】
マルチメディアを介してインタラクティブ情報を実現する方法において、以下のステップを有することを特徴とする方法。
ステップＡ．ユーザ端末が、通信標識を伝達するインタラクティブ情報を有するマルチメディアファイルを解析して再生する。
ステップＢ．前記ユーザ端末が、ユーザによるインタラクティブ情報中に伝達された通信標識のトリガに基づいて、サーバにアクセスする。
【請求項２】
前記ステップＡにおける前記通信標識を伝達するインタラクティブ情報は、前記マルチメディアファイルの再生時に直接第１情報ウィンドウに表示されることを特徴とする請求項１に記載の方法。
【請求項３】
前記ステップＡは、以下のステップを有することを特徴とする請求項１に記載の方法。
ステップＡ１．前記ユーザ端末が、前記マルチメディアファイルを解析して再生し、解析により前記通信標識を伝達するインタラクティブ情報を取得し記憶する。
ステップＡ２．前記ユーザ端末が、前記マルチメディアファイルの再生過程中にユーザが前記インタラクティブ情報の表示を要求する旨のトリガ信号を受信したとき、記憶した前記インタラクティブ情報を第１情報ウィンドウを介して表示する。
【請求項４】
前記インタラクティブ情報は、第１類インタラクティブ情報及び／又は第２類インタラクティブ情報を含み、
前記第１類インタラクティブ情報は、前記第１情報ウィンドウ中に継続的に表示され、
前記第２類インタラクティブ情報は、前記マルチメディアファイルの再生過程中に、現在の第２類インタラクティブ情報によって更新され、第１情報ウィンドウ中に表示されることを特徴とする請求項１乃至３のいずれか一項に記載の方法。
【請求項５】
前記マルチメディアファイル中のインタラクティブ情報の形式は、ＴＬＶ形式であることを特徴とする請求項１に記載の方法。
【請求項６】
前記通信標識は、ウェブサイトアドレス情報及び／又は電話番号情報を含むことを特徴とする請求項１に記載の方法。
【請求項７】
前記インタラクティブ情報は、さらに業者記述情報、取引情報、割引情報及びクーポン発行情報の中から１種又は数種を含むことを特徴とする請求項１に記載の方法。
【請求項８】
前記取引情報は、決済銀行の口座情報、業者名称、提示対象の名称及び提示対象の単価情報の中から１種又は数種を含むことを特徴とする請求項７に記載の方法。
【請求項９】
マルチメディアを介してインタラクティブ情報を実現するシステムにおいて、
ユーザ端末及びサーバを備え、
前記ユーザ端末は、通信標識を伝達するインタラクティブ情報を有するマルチメディアファイルを解析して再生し、ユーザによるインタラクティブ情報中に伝達された通信標識のトリガに基づいて、サーバにアクセスし、
前記サーバは、前記ユーザ端末にアクセス接続を提供することを特徴とするシステム。
【請求項１０】
前記ユーザ端末は、マルチメディアファイル記憶ユニット、メディアプレーヤ及びインタラクティブ情報記憶ユニットを備え、
前記マルチメディアファイル記憶ユニットは、マルチメディアファイルを記憶し、
前記メディアプレーヤは、前記マルチメディアファイルを解析して再生し、解析によって取得したインタラクティブ情報を表示すると共に、ユーザによるインタラクティブ情報中に伝達された通信標識のトリガに基づいて、前記サーバにアクセスする。
前記インタラクティブ情報記憶ユニットは、前記マルチメディアファイルを解析して取得した通信標識を伝達するインタラクティブ情報を記憶することを特徴とする請求項９に記載のシステム。
【請求項１１】
前記メディアプレーヤは、解析手段、運行手段及びインタラクティブ手段を備え、
前記解析手段は、マルチメディアファイルを解析し、
前記運行手段は、前記マルチメディアファイルを再生し、前記マルチメディアファイルの再生過程中に、自動的に又はユーザが前記インタラクティブ情報の表示を要求する旨のトリガ信号を受信したときに、インタラクティブ情報記憶ユニットからユーザが表示を要求する前記インタラクティブ情報を読取り、第１情報ウィンドウを介して前記インタラクティブ情報を表示し、
前記インタラクティブ手段は、ユーザによる前記インタラクティブ情報中に伝達された前記通信標識のトリガに基づいて、前記サーバにアクセスすることを特徴とする請求項１０に記載のシステム。
【請求項１２】
前記インタラクティブ情報は、第１類インタラクティブ情報及び／又は第２類インタラクティブ情報を含み、
前記インタラクティブ情報記憶ユニットは、前記第１類インタラクティブ情報を記憶するための第１記憶手段及び／又は前記第２類インタラクティブ情報を記憶するための第２記憶手段を備え、
前記解析手段は、さらにマルチメディアファイルの解析過程中に、第１類インタラクティブ情報を記憶し、及び／又は解析により取得した現在の第２類インタラクティブ情報を用いて前記第２記憶手段に既に記憶してあった第２類インタラクティブ情報を更新し、
前記運行手段は、前記第１情報ウィンドウ中に第１類インタラクティブ情報を継続的に表示し、及び／又は前記第１情報ウィンドウ中に前記第２類インタラクティブ情報を表示すると共に、マルチメディアファイルの再生過程中に、現在の第２類インタラクティブ情報を用いて第１情報ウィンドウ中に表示される第２類インタラクティブ情報を更新することを特徴とする請求項１１に記載のシステム。
【請求項１３】
前記マルチメディアファイル中のインタラクティブ情報の形式はＴＬＶ形式であることを特徴とする請求項９に記載のシステム。
【請求項１４】
前記通信標識は、ウェブサイトアドレス及び／又は電話番号情報を含むことを特徴とする請求項９に記載のシステム。
【請求項１５】
前記インタラクティブ情報は、さらに業者記述情報、取引情報、割引情報及びクーポン発行情報の中から１種又は数種を含むことを特徴とする請求項９に記載のシステム。
【請求項１６】
前記取引情報は、決済銀行の口座情報、業者名称、提示対象の名称及び提示対象の単価情報の中から１種又は数種を含むことを特徴とする請求項１５に記載のシステム。
【発明の詳細な説明】
【技術分野】
【０００１】
本発明は通信技術分野、特にマルチメディアを介してインタラクティブ情報を実現する方法及びシステムに関する。
【背景技術】
【０００２】
移動通信の急速な発展に伴い、ユーザ端末の機能は日増しに強化されている。ユーザ端末はオンライン閲覧、デジタル写真撮影、テレビ放送及びネットワークビデオ放送等をサポートし、また、ユーザがユーザ端末を介してネットワーク取引を行い、オンライン振替等の操作を実行できる。
【０００３】
目下、多くのインターネットサービス提供業者にとって、広告は主な収入源であるので、多くのユーザ端末で再生されるマルチメディアファイルは広告宣伝情報である。上記ユーザ端末としては、携帯電話、コンピュータやテレビ等が挙げられる。しかしながら、ユーザはこれらのユーザ端末を介してマルチメディアファイルを見るとき、ユーザ端末がマルチメディアファイルの再生のみをサポートし、マルチメディアファイル再生時、ユーザのトリガをサポートしないので、ユーザは該広告情報を見ながらユーザ端末を介して接続して広告関連サービス提供サーバにアクセスすることができない。それどころか、ウェブサイトにログインして展示対象物の関連情報を閲覧するために、手動でウェブサイトアドレスを入力し、購入を決めた後、さらにオンラインバンクにログインして支払いをするためにサーバにアクセスするか、又は別途テレフォンショッピングを行う必要がある。
【０００４】
以上を総括すると、従来の技術ではマルチメディア広告を介してサーバにアクセスすることができない。
【発明の概要】
【発明が解決しようとする課題】
【０００５】
本発明は、マルチメディア広告を介してサーバにアクセスできないという従来技術の課題を解決するために、マルチメディアを介してインタラクティブ情報を実現する方法及びシステムを提供することを目的とする。
【課題を解決するための手段】
【０００６】
本発明の方法は、下記ステップを有する。
ステップＡ．ユーザ端末が、通信標識を伝達するインタラクティブ情報を有するマルチメディアファイルを解析して再生する。
Ｂ．前記ユーザ端末が、ユーザによるインタラクティブ情報中に伝達された通信標識のトリガに基づいて、サーバにアクセスする。
【０００７】
ステップＡに記載の通信標識を伝達するインタラクティブ情報は、マルチメディアファイルを直接再生することにより表示される。
【０００８】
ステップＡは下記ステップを有する。
ステップＡ１．ユーザ端末が、マルチメディアファイルを解析して再生し、解析により通信標識を伝達するインタラクティブ情報を取得し記憶する。
ステップＡ２．ユーザ端末が、マルチメディアファイルの再生過程中にユーザがインタラクティブ情報の表示を要求する旨のトリガ信号を受信したとき、記憶したインタラクティブ情報を第１情報ウィンドウを介して表示する。
【０００９】
ステップＡ１における解析により取得したインタラクティブ情報は、第１類インタラクティブ情報及び第２類インタラクティブ情報を含む。ステップＡ２における第１情報ウィンドウを介して上記インタラクティブ情報を表示するステップは、ユーザ端末が、第１情報ウィンドウ中に第１類インタラクティブ情報を継続的に表示し、又は第１情報ウィンドウ中に第２類インタラクティブ情報を表示し、さらにマルチメディアファイルの再生過程中、現在の第２類インタラクティブ情報を用いて第１情報ウィンドウ中に表示される第２類インタラクティブ情報を更新することを含む。
【００１０】
マルチメディアファイル中のインタラクティブ情報の形式は、ＴＬＶ形式である。
【００１１】
通信標識は、ウェブサイトアドレス情報及び／又は電話番号情報を含む。
【００１２】
インタラクティブ情報は、さらに業者記述情報、取引情報、割引情報及びクーポン発行情報の中から１種又は数種を含む。
【００１３】
取引情報は、決済銀行の口座情報、業者名称、提示対象の名称及び提示対象の単価情報の中から１種又は数種を含む。
【００１４】
本発明のシステムは、ユーザ端末及びサーバを備える。ユーザ端末は、通信標識を伝達するインタラクティブ情報を有するマルチメディアファイルを解析して再生し、さらにユーザによるインタラクティブ情報中に伝達された通信標識のトリガに基づいて、サーバにアクセスする。 サーバは、ユーザ端末にアクセス接続を提供する。ユーザ端末は、マルチメディアファイル記憶ユニット、マルチメディアプレーヤ及びインタラクティブ情報記憶ユニットを備える。マルチメディアファイル記憶ユニットは、マルチメディアファイルを記憶する。
【００１５】
マルチメディアプレーヤは、マルチメディアファイルを解析して再生し、解析によって取得したインタラクティブ情報を表示すると共に、ユーザによるインタラクティブ情報中に伝達された通信標識のトリガに基づいて、サーバにアクセスする。インタラクティブ情報記憶ユニットは、マルチメディアファイルを解析して取得した通信標識を伝達するインタラクティブ情報を記憶する。マルチメディアプレーヤは、解析手段、運行手段及びインタラクティブ手段を備える。解析手段はマルチメディアファイルを解析する。運行手段は、マルチメディアファイルを再生し、マルチメディアファイルの再生過程中に、ユーザがインタラクティブ情報の表示を要求する旨のトリガ信号を受信したとき、インタラクティブ情報記憶ユニットからユーザが表示を要求するインタラクティブ情報を読取り、第１情報ウィンドウを介してインタラクティブ情報を表示する。インタラクティブ手段は、ユーザによるインタラクティブ情報中に伝達された通信標識のトリガに基づいて、サーバにアクセスする。
【００１６】
インタラクティブ情報は、第１類インタラクティブ情報及び第２類インタラクティブ情報を含む。インタラクティブ情報記憶ユニットは、第１類インタラクティブ情報を記憶するための第１記憶手段と、第２類インタラクティブ情報を記憶するための第２記憶手段とを備える。解析手段は、さらに、マルチメディアファイルの解析過程中に解析により取得した現在の第２類インタラクティブ情報を用いて、第２記憶手段中に既に記憶してあった第２類インタラクティブ情報を更新する。運行手段は、第１情報ウィンドウ中に第１類インタラクティブ情報を継続的に表示し、又は第１情報ウィンドウ中に第２類インタラクティブ情報を表示し、さらにマルチメディアファイルの再生過程中に、現在の第２類インタラクティブ情報を用いて、第１情報ウィンドウ中に表示される第２類インタラクティブ情報を更新する。
【００１７】
マルチメディアファイル中のインタラクティブ情報の形式は、ＴＬＶ形式である。
【００１８】
通信標識は、ウェブサイトアドレス及び／又は電話番号情報を含む。
【００１９】
インタラクティブ情報は、さらに業者記述情報、取引情報、割引情報及びクーポン発行情報の中から１種又は数種を含む。
【００２０】
取引情報は決済銀行の口座情報、業者名称、提示対象の名称及び提示対象の単価情報の中から１種又は数種を含む。
【発明の効果】
【００２１】
本発明によれば、ユーザ端末が、通信標識を伝達するインタラクティブ情報を含むマルチメディアファイルを解析して再生する。そして、ユーザ端末が、ユーザによるインタラクティブ情報中に伝達された通信標識のトリガに基づいて、サーバにアクセスする。これにより、ユーザ端末が、サーバにアクセスすることを可能とし、ユーザの取引操作をより便利かつ迅速なものとなる。
【図面の簡単な説明】
【００２２】
【図１】本発明の方法を示すフローチャート。
【図２】本発明の方法に係る実施形態のフローチャート。
【図３】本発明のシステムに係る実施形態の構成を示す概略図。
【図４】本発明のインタラクティブ情報記憶ユニットにおいて、インタラクティブ情報が記憶される構造を示す略図。
【図５】本発明のインタラクティブ情報記憶ユニットにおいて、ＡＶＩ形式のインタラクティブ情報が記憶される構造を示す略図。
【図６】本発明のインタラクティブ情報記憶ユニットにおいてインタラクティブ情報中の取引情報サブＴＬＶが記憶される構造を示す略図。
【発明を実施するための形態】
【００２３】
本発明の主要概念は、ユーザ端末が、通信標識を伝達するインタラクティブ情報を有するマルチメディアファイルを解析して再生し、さらにユーザ端末は、ユーザによるインタラクティブ情報中に伝達された通信標識のトリガに基づいて、サーバにアクセスすることである。さらに、マルチメディアファイル中のインタラクティブ情報の形式は、ＴＬＶ形式である。また、通信標識は、ウェブサイトアドレス情報及び／又は電話番号情報を含む。また、インタラクティブ情報は、マルチメディアファイルのヘッダ中、及び／又はマルチメディアファイルの本体中に含有される。また、インタラクティブ情報は、さらに業者記述情報、取引情報、割引情報及びクーポン発行情報の中から１種又は数種を含む。また、取引情報は、決済銀行の口座情報、業者名称、提示対象の名称及び提示対象の単価情報の中から１種又は数種を含む。
【００２４】
図１に示すように、本発明の方法は、以下のＳ１０１．、Ｓ１０２．のステップを有する。
【００２５】
Ｓ１０１．ユーザ端末は、通信標識を伝達するインタラクティブ情報を有するマルチメディアファイルを解析して再生する。
【００２６】
ユーザ端末は、例えばＧＰＲＳ携帯電話、３Ｇ携帯電話、４Ｇ携帯電話、コンピュータ、ＰＤＡ、デジタルテレビ等である。ユーザ端末は、オンライン決済、インタネットに基づくユーザ身分認証、ユーザサイン及び電子決済をサポートする。ユーザ端末は、物理ボタン又は論理ボタンをトリガとする広告に関係づけられたポップアップ画面をサポートする。
【００２７】
物理ボタンは、それぞれのユーザ端末ごとに異なるものであってもよく、携帯電話の場合は、携帯電話キーボードの１つ又は複数の特定キー、デジタルテレビの場合、リモートコントローラ上の１つ又は複数の物理ボタン、コンピュータの場合、キーボードの１つのファンクションキー又は複数キーの組み合わせ又はマウスのファンクションキーである。論理ボタンは、メディアプレーヤのインターフェース画面上の論理ボタンであり、その機能は、マルチメディアファイルの再生時に、広告中の提示対象の決済画面、広告の選択画面又はメニュ選択画面をポップアップ表示させることである。
【００２８】
マルチメディアファイルの形式は、ＪＰＥＧ、ＭＰＥＧ−１、ＭＰＥＧ−２、ＭＰＥＧ−４、ＭＰＥＧ−７、ＭＰＥＧ−２１、Ｈ．２６３、Ｈ．２６４又はＡＶＩ等である。
【００２９】
ユーザ端末によって再生されるマルチメディアファイル中に含有されるインタラクティブ情報は、マルチメディアファイルの作成中に符号化され、マルチメディアファイルの中に書き込まれる。好ましくは、通信標識を伝達するインタラクティブ情報は、マルチメディアファイルの再生時に、第１情報ウィンドウに直接表示される。好ましくは、ユーザ端末は、マルチメディアファイルを解析して再生し、解析により取得した通信標識を伝達するインタラクティブ情報を記憶し、ユーザ端末が、マルチメディアファイルの再生過程中にユーザがインタラクティブ情報の表示を要求する旨のトリガ信号を受信したとき、記憶したインタラクティブ情報を第１情報ウィンドウを介して表示する。
【００３０】
解析により取得したインタラクティブ情報は、第１類インタラクティブ情報及び／又は第２類インタラクティブ情報を含む。そして、第１情報ウィンドウにインタラクティブ情報を表示するステップは、第１類インタラクティブ情報が、第１情報ウィンドウ中に継続的に表示され、第１類インタラクティブ情報の再生過程中に、第２類インタラクティブ情報が、現在第２類インタラクティブ情報を用いて更新され第１情報ウィンドウ中に表示されるステップを含んでいる。
【００３１】
マルチメディアファイル中のインタラクティブ情報の形式は、ＴＬＶ形式である。通信標識は、ウェブサイトアドレス情報及び／又は電話番号情報を含む。
【００３２】
Ｓ１０２．ユーザ端末は、ユーザによるインタラクティブ情報中に伝達された通信標識のトリガに基づいて、サーバにアクセスする。
【００３３】
ユーザ端末は、第１情報ウィンドウからユーザによってトリガされたインタラクティブ情報を受信し、受信したインタラクティブ情報中に伝達される通信標識を用いてサーバにアクセスする。ユーザ端末は、ユーザによってトリガされた電話番号情報に応じて通話接続を構築するか、又はユーザによってトリガされたウェブサイト情報に応じてサーバにログインする。
【００３４】
インタラクティブ情報は、さらに業者記述情報、取引情報、割引情報及びクーポン発行情報の中から１種又は数種を含む。取引情報は、決済銀行の口座情報、業者名称、提示対象の名称及び提示対象の単価情報の中から１種又は数種を含む。
【００３５】
図２に示すように、本発明の方法に係る実施形態は、以下のＳ２０１．乃至Ｓ２０５．のステップを有する。
【００３６】
Ｓ２０１．インタラクティブ情報をビデオファイルに符号化して書き込む。
【００３７】
ビデオファイルは、如何なる形式のマルチメディアファイルであっても良く、本実施形態ではＡＶＩ形式のファイルを例にして説明する。インタラクティブ情報の各々の項目が、ＴＬＶ（Type-Length-Value）形式でマルチメディアファイルに保存され、また、全ての広告情報が１つのインタラクティブ情報ＴＬＶ中に集約可能である。
【００３８】
インタラクティブ情報は、以下のコンテンツを有する。
業者記述情報：タイプは１バイトの数字、例えば０に定義されるか、又は固定長の文字列に定義される。例えば、ＡＶＩファイル構造につき、このサブＴＬＶのタイプは４バイトの’ＤＩＳＣ’に表示されうる。ここでＡＶＩ中の英語記述形式をそのまま使用し、`ＤＩＳＣ｀が英文のvendor descriptionから由来する。
取引情報：タイプは１バイトの数字、例えば1に定義されるか、又は固定長の文字列に定義される。例えば、ＡＶＩファイル構造につき、このサブＴＬＶのタイプは英文記述のbuy addressから由来する４バイトの`ＢＵＹＡ｀に表示されうる。このＴＬＶはさらに幾つかのサブＴＬＶ、例えば業者アドレス、提示対象の単価や問合せ担当者名（総合司会者名）等のサブＴＬＶを含んでも良い。
販売場所を紹介するウェブサイトアドレス：タイプは１バイトの数字、例えば２に定義されるか、又は固定長の文字列に定義される。例えば、ＡＶＩファイル構造につき、このサブＴＬＶのタイプは英文のpurchaseから由来する４バイトの`ＰＵＲＣ｀に示されうる。
提示対象詳細情報の掲載ウェブサイトアドレス：タイプは１バイトの数字、例えば３に定義されるか、又は固定長の文字列に定義される。例えば、ＡＶＩファイル構造につき、このサブＴＬＶのタイプは英文のinformationから由来する４バイトの`ＩＮＦＯ｀に示されうる。
割引販促情報の掲載ウェブサイトアドレス：タイプは１バイトの数字、例えば４に定義されるか、又は固定長の文字列に定義される。例えば、ＡＶＩファイル構造につき、このサブＴＬＶのタイプは英文のdiscountから由来する４バイトの`ＤＣＮＴ｀に示されうる。
電話番号情報：タイプは１バイトの数字、例えば５に定義されるか、又は固定長の文字列に定義される。例えば、ＡＶＩファイル構造につき、このサブＴＬＶのタイプは英文のtelephone numberから由来する`ＴＥＬＮ｀に示されうる；電話回線によるダイヤルアップ接続機能をサポートしないユーザ端末については、該項目が自動的に隠され、表示されない。
【００３９】
上記全てのインタラクティブ情報が結合して１つのＴＬＶを構成し、そのタイプはインタラクティブ情報ＴＬＶである。ＡＶＩファイルにつき、インタラクティブ情報はＡＶＩヘッダ中に１つの`ＣＯＭＣ｀タイプのＴＬＶ（又はＡＶＩの呼び方に応じこれをｌｉｓｔと称する）を追加しても良い。このインタラクティブ情報ＴＬＶは、各々のサブＴＬＶを含有しても良く、そのうち、業者記述情報サブＴＬＶが、各業者にとって必要不可欠で、同一業者の各サブＴＬＶの中で、第１の位置に置かなければならない。他のサブＴＬＶはオプションであるが、通常各業者には少なくとも１つの他のタイプのサブＴＬＶが必要である。
【００４０】
ＴＬＶ全体は、字幕の書き込み方式のように、ビデオファイルのヘッダ部か、又はビデオファイルの本体中に書き込まれる。ＴＬＶ全体をビデオファイルヘッダ部に書き込む方式は、簡素であるが、１つのビデオファイルが１つ又は限られた複数の提示対象やサービス情報の広告しかサポートできず、柔軟性に欠ける。ＴＬＶ全体をビデオファイルの本体中に書き込む方式を採用すると、書き込まれたインタラクティブ情報をビデオファイルの再生に伴いインタラクティブ情報のコンテンツによって更新可能であり、柔軟性がより強くなる。なお、異なるマルチメディアファイルにつき、インタラクティブ情報が異なる書き込み方式を有しても良い。
【００４１】
実際には、ビデオファイルがこの両種の書き込み方式をサポートするものとしてもよい。この場合、ビデオファイルのヘッダ部に書き込まれたインタラクティブ情報は、ビデオファイル再生のライフサイクル中に有効であり、ビデオファイルの本体中に書き込まれたインタラクティブ情報は、ビデオファイルの再生に伴い絶えず更新される。
【００４２】
Ｓ２０２．ビデオファイル及び該ビデオファイル中に伝達されたインタラクティブ情報を解析する。
【００４３】
ビデオファイル中に符号化され書き込まれたインタラクティブ情報は、ビデオファイルごとにユーザ端末のメディアプレーヤによってビデオファイルの再生中に解析され、その解析結果がユーザ端末のインタラクティブ情報記憶ユニットに送信される。
【００４４】
Ｓ２０３．インタラクティブ情報中に伝達された業者記述情報を読取り、これを表示する。
【００４５】
ユーザに購入意向があるか、又は関連する提示対象又はサービス情報をさらに探したい意向があるとき、ユーザがトリガキーを押下すると、ユーザ端末には１つのインタラクティブインターフェース画面が表示され、ユーザ端末のメディア再生プログラムがインタラクティブ情報記憶ユニット中のコンテンツを読取り、これをインタラクティブインターフェース画面上に表示する。
【００４６】
インタラクティブインターフェース画面は、１つのメニューか又は図形選択インターフェースである。このインターフェース又はメニューの具体的なコンテンツは、ステップＳ２０１．で符号化され書き込まれたビデオファイルのインタラクティブ情報に依存している。また、インタラクティブインターフェース画面は、多数のレベルのメニュー又はインターフェースであってもよく、この場合、インタラクティブ画面の第１レベルのインターフェースに表示されるものは、業者記述情報、即ち各業者の業者記述情報サブＴＬＶ中のコンテンツである。
【００４７】
Ｓ２０４．インタラクティブ情報中に伝達された取引情報、販売サイトを紹介するウェブサイトアドレス、提示対象の詳細情報を掲載するウェブサイトアドレス、割引販促の情報を掲載するウェブサイトアドレス及び電話番号情報を読取り、これを表示する。
【００４８】
ユーザが１つの業者の業者記述情報を選択した場合、インタラクティブインターフェース画面には第２レベルのメニュー又はインターフェースがポップアップ表示される。第２レベルのメニュー又はインターフェース中のコンテンツは、取引情報、販売サイトを紹介するウェブサイトアドレス、より多くの商品情報を掲載するウェブサイトアドレス、割引販促の情報を掲載するウェブサイトアドレス及び電話番号情報等である。
【００４９】
Ｓ２０５．サーバにログインして、オンライン取引を遂行する。
【００５０】
ユーザがインタラクティブインターフェース画面の第２レベルのメニュー又はインターフェースから、ある特定の提示対象又はサービス情報に対する操作を選択した後、ユーザ端末はトリガされ、対応する決済銀行のウェブサイト、商品情報を掲載するウェブサイト等に接続されると、インタラクティブインターフェース画面にはブラウザインターフェースが自動的に表示される。これは、ブラウザのウェブサイトアドレスがユーザ端末によって自動的に入力され、ブラウザがインターネットを介して自動的に対応するインターネットウェブサイトにログインすることにより実現される。これにより、ユーザは、表示されたブラウザインターフェースを介して対応する操作を実行でき、オンライン取引を遂行できる。
【００５１】
電話に対するダイヤリングをサポートするユーザ端末については、さらにユーザによってトリガされた電話番号情報により直接通話接続を構築可能となる。
【００５２】
図３に示すように、本発明のシステムは、ユーザ端末３０及びサーバ３１を具備する。
ユーザ端末３０は、マルチメディアファイル記憶ユニット３０１、メディア（媒体）プレーヤ３０２及びインタラクティブ（インタラクション）情報記憶ユニット３０３を備える。メディアプレーヤ３０２は、解析手段３０２１、運行手段３０２２及びインタラクティブ（インタラクション）手段３０２３を備える。 インタラクティブ情報記憶ユニット３０３は、第１記憶手段３０３１及び／又は第２記憶手段３０３２を備える。
【００５３】
ユーザ端末３０は、通信標識を伝達するインタラクティブ情報を有するマルチメディアファイルを解析して再生し、ユーザによるインタラクティブ情報中に伝達された通信標識のトリガに基づいて、サーバ３１にアクセスする。サーバ３１は、ユーザ端末３０にアクセス接続を提供する。
【００５４】
マルチメディアファイル記憶ユニット３０１は、通信標識を伝達するインタラクティブ情報を有するマルチメディアファイルを記憶する。本システムの実施形態では、マルチメディアファイルは、ＡＶＩファイル形式のビデオファイルである。現在のところマルチメディアファイルは、通常ＴＬＶ構造又はＴＬＶに類似する構造が採用されているので、各種類のマルチメディアファイルは、インタラクティブ情報の記憶に適合する。インタラクティブ情報は、ビデオファイルのヘッダ中、及び／又はビデオファイルの本体中に含有される。
【００５５】
ＡＶＩ形式のビデオファイルについて、インタラクティブ情報をマルチメディアファイル中に書き込むために、以下に示す２つの方策を適用することができる。
【００５６】
方策１：インタラクティブ情報をビデオファイルのヘッダ中に書き込み、インタラクティブ情報が１つの新規リスト（ＡＶＩファイル形式においてＴＬＶは`COMC`リストと称され、`COMC`リストはＡＶＩの`hdrl`リスト中の`avih` チャンクの後に書き込まれる）を構成し、この手法においては、ビデオファイル全体の再生過程中に、インタラクティブ情報は固定されており、ビデオファイルの再生に伴い変化することがない。
【００５７】
方策２：字幕表示用の`txts`ストリームと類似する手法で、インタラクティブ情報をビデオファイルの本体中に書き込み、インタラクティブ情報に対して１つの広告情報ストリームを追加することができる。広告情報ストリームは、`txts`ストリームのように動的に変更可能であり、広告情報ストリームは、インタラクティブ情報によって構成されるＴＬＶをロードするために用いられる。この様式によってサポートされるインタラクティブ情報は、ビデオファイルの再生過程中に動的に変化する。
【００５８】
メディアプレーヤ３０２は、マルチメディアファイルを解析して再生し、解析によって取得したインタラクティブ情報を表示し、自動的又はユーザによるインタラクティブ情報中に伝達された通信標識のトリガに基づいて、サーバ３１にアクセスする。インタラクティブ情報記憶ユニット３０３は、マルチメディアファイルを解析して取得した通信標識を伝達するインタラクティブ情報を記憶する。
【００５９】
図４は、インタラクティブ情報記憶ユニット３０３に記憶されているインタラクティブ情報の構造の概略を示す。図５は、ＡＶＩ形式におけるインタラクティブ情報の記憶構造の概略を示す。本実施形態では、インタラクティブ情報は、業者記述情報、取引情報、割引情報、クーポン発行情報及び販売アドレス情報を含む。
【００６０】
取引情報は、銀行のウェブサイトアドレス情報、決済銀行の口座情報、業者名称、提示対象の名称、提示対象の単価情報及び電話番号情報を含む。取引情報サブＴＬＶの構造は、図６に示される。複数のサブＴＬＶは、取引情報サブＴＬＶに包含される。オンライン銀行のウェブサイトアドレスのサブＴＬＶのＡＶＩタイプは、ＢＫＡＤ（bank Address)である。銀行口座サブＴＬＶのＡＶＩタイプは、ＢＫＡＣ（bank Account)である。業者名称サブＴＬＶのＡＶＩタイプは、ＶＥＮＤ（vendor)である。提示対象の名称サブTLVのＡＶＩタイプは、ＰＲＯＤ（product)である。提示対象の単価サブＴＬＶの ＡＶＩタイプは、ＰＲＩＣ（price)である。
【００６１】
インタラクティブ情報記憶ユニット３０３中のコンテンツを修正するとき、ロックを条件とする必要がある。このとき、如何なるプログラムもコンテンツへのアクセスを許されず、待つほかはない。メディアプレーヤ３０２のみがインタラクティブ情報記憶ユニット３０３中のコンテンツを修正する権限を有する。
【００６２】
インタラクティブ情報記憶ユニット３０３は如何なる記憶媒体に配置されていてもよく、記憶容量のサイズは、広告情報をサポートする項目数に依存し、記憶領域は、各項目によって占められる。インタラクティブ情報は、マルチメディアファイルに書き込まれる様式の相違に応じて、第１類インタラクティブ情報と第２類インタラクティブ情報に分類される。マルチメディアファイルのヘッダ中に書き込まれたインタラクティブ情報は、第１類インタラクティブ情報とされ、マルチメディアファイルの本体中に書き込まれたインタラクティブ情報は、第２類インタラクティブ情報とされる。
【００６３】
解析手段３０２１は、通信標識を伝達するインタラクティブ情報を有するビデオファイルを解析し、解析後の通信標識を伝達するインタラクティブ情報をインタラクティブ情報記憶ユニット３０３に送信する。このとき、解析により取得した第１類インタラクティブ情報は、第１記憶手段３０３１に送信され、解析により取得した第２類インタラクティブ情報は、第２記憶手段３０３２に送信される。
【００６４】
第１記憶手段３０３１は、解析後の第１類インタラクティブ情報を記憶する。この第１類インタラクティブ情報は、解析手段３０２１がビデオファイルの解析を開始する時点で、解析されて記憶される。第２記憶手段３０３２は、解析後の第２類インタラクティブ情報を記憶し、自らが記憶した第２類インタラクティブ情報を、現在受信した解析後の第２類インタラクティブ情報に応じて更新する。
【００６５】
運行手段３０２２は、マルチメディアファイルを再生すると共に、マルチメディアファイルの再生過程中に、ユーザがインタラクティブ情報の表示を要求する旨のトリガ信号を受信したとき、インタラクティブ情報記憶ユニット３０からユーザが表示を要求するインタラクティブ情報を読み取り、第１情報ウィンドウを介してそのインタラクティブ情報を表示する。さらに、第１情報ウィンドウ中に第１類インタラクティブ情報を継続的に表示するか、第１情報トリガウィンドウ中に第２類インタラクティブ情報を表示する。さらにマルチメディアファイルの再生過程中に、第１情報トリガウィンドウ中に表示される第２類インタラクティブ情報を、現在の第２類インタラクティブ情報を用いて更新する。第１類インタラクティブ情報と第２類インタラクティブ情報は、必要に応じて単独に存在してもよい。また、詳細な具体例は、上述したものと同様なので、ここで説明を省略する。
【００６６】
インタラクティブ手段３０２３は、ユーザによるインタラクティブ情報中に伝達された通信標識のトリガに基づいて、サーバ３１にアクセスする。例えば、ユーザがインタラクティブ手段３０２３を介して決済銀行のウェブサイトにアクセスした後、運行手段３０２２が製造者又は業者の名称、商品名称、商品単価、購入個数及び銀行口座等が示されるオンライン銀行の電子決済インターフェース画面を表示させる。これにより、ユーザは、購入個数等の情報の入力だけを要求される。
【００６７】
以上を総括すると、本発明は、インタラクティブ情報に提示対象又はサービスの情報に関連するインタラクティブ情報、例えば取引情報、売り主のウェブサイトアドレス、割引ウェブサイト、問合せ電話等を追加する。これらのインタラクティブ情報を通じて、ユーザは、インターネット又は電話を介して便利に、業者、製造者又はサービスプロバイダー（ウェブサービスプロバイダーや銀行等を含む）と直接連絡でき、ユーザの操作が非常に容易なもののとなる。この点が従来の広告形態と相違している。従来の広告形態は、通常一方的となり、広告コンテンツが純粋な広告であり、ユーザが広告を見た後、興味のあるコンテンツにつき記憶又は記録する必要があり、ユーザにとって、広告の観賞と広告中の提示対象に対する支払いが別々の操作となっている。
【００６８】
本発明によるメディアプレーヤは、一方では新規に追加された広告情報ＴＬＶを解析しつつ、他方では、ユーザによるトリガをサポートし、ユーザは購入意欲があるか又は提示対象についてさらなる情報を見つけ出す意向があるとき、ユーザ端末のキー押下、表示ディスプレイへのタッチ、メディアプレーヤにおけるファンクションキーのクリック、又はこれらの動作の組み合わせによって、メディアプレーヤに自動的に選択インターフェース画面をポップアップ表示させる。この選択インターフェース画面は、メニュー選択インターフェース画面であっても良く、パネル選択インターフェース画面であっても良い。
【００６９】
ユーザが選択インターフェース画面を介して１回又は複数回の選択を行った後、選択インターフェース画面には自動的にブラウザがサーバにログインする画面が表示され、ユーザが関連するオンライン決済又はウェブアクセスを行うことができるようになる。携帯電話等のユーザ端末については、さらに通話接続を設立できる。従って、本発明の技術手法によると、ユーザがウェブサイト情報又は電話番号を手動で入力する必要がなくなり、ユーザの操作を容易なものとすることができる。
【００７０】
本発明によれば、メディア広告とユーザによる電子決済とが結合される。割引セール情報を見た後、ユーザが直ぐに購入を決意することができる。関連づけられた広告コンテンツの観賞から購入決定、決済までのプロセス全体が迅速に完成可能となる。購入意欲又は提示対象についてさらなる情報を見つけ出す意向のないユーザに関しては、再生過程中にマルチメディアファイルは、如何なるコンテンツもポップアップ表示しない。これにより、本発明の技術手法を用いることにより、ユーザの購入操作をより一層便利なものとすることができる。
【００７１】
本分野の技術者が本発明の趣旨を逸脱しない範囲において、本発明に対して種々の修飾や変形を行うことは可能であるが、本発明に対するこれらの修飾や変形は、本発明の請求項の技術範囲内にあり同等であれば、本発明はこれらの修飾や変形を含むのは明らかである。
【図１】
2010515309.tif 000003
【図２】
2010515309.tif 000004
【図３】
2010515309.tif 000005
【図４】
2010515309.tif 000006
【図５】
2010515309.tif 000007
【図６】
2010515309.tif 000008
【国際調査報告】
2010515309.tif 000009
2010515309.tif 000010
2010515309.tif 000011
2010515309.tif 000012